(57)【要約】【課題】  カウンター本体と立ち上げ部及びサブカウンターを一体形成して、接続部分における水密性の向上とカウンターの製造の容易化等を図ると共に、接続部分が汚れ難く、また清掃等の手入れがし易いキッチンのカウンター構造を提供する。【解決手段】  シンクを有してキャビネットの上面に水平状態で配置されるカウンター本体と、該カウンター本体の後端部に傾斜状態で一体形成され前面に平面や曲面からなる傾斜面を有する立ち上げ部と、該立ち上げ部の後端部に後方側に水平状態で一体形成されたサブカウンターと、を備えることを特徴とする。前記シンクは、立ち上げ部とカウンター本体の接続部分に一体形成される共に立ち上げ部がシンク内まで連続して形成され、また、前記立ち上げ部には、水栓が取り付けられたり各種の収納部が設けられる。【選択図】  図１
2007014750.tif 000002
【特許請求の範囲】
【請求項１】
シンクを有してキャビネットの上面に水平状態で配置されるカウンター本体と、該カウンター本体の後端部に傾斜状態で一体形成された立ち上げ部と、該立ち上げ部の後端部に後方側に水平状態で一体形成されたサブカウンターと、を備えることを特徴とするキッチンのカウンター構造。
【請求項２】
前記シンクは、立ち上げ部とカウンター本体の接続部分に一体形成されると共に、前記立ち上げ部が前記シンク内まで連続して形成されていることを特徴とする請求項１に記載のキッチンのカウンター構造。
【請求項３】
前記立ち上げ部に、水栓が取り付けられていることを特徴とする請求項１または２に記載のキッチンのカウンター構造。
【請求項４】
前記立ち上げ部に、カウンター本体側及びまたはサブカウンター側から収納物の出し入れが可能な収納部が設けられていることを特徴とする請求項１ないし３のいずれかに記載のキッチンのカウンター構造。
【請求項５】
前記立ち上げ部及びまたはサブカウンターに、映像機器が取り付けられていることを特徴とする請求項１ないし４のいずれかに記載のキッチンのカウンター構造。
【請求項６】
前記立ち上げ部及びまたはサブカウンターに、音響機器が取り付けられていることを特徴とする請求項１ないし５のいずれかに記載のキッチンのカウンター構造。
【請求項７】
前記立ち上げ部は、カウンター本体及びサブカウンターに対して鈍角を有する略平板状に形成されていることを特徴とする請求項１ないし６のいずれかに記載のキッチンのカウンター構造。
【請求項８】
前記立ち上げ部は、その表面が凹状もしくは凸状の曲面形状に形成されていることを特徴とする請求項１ないし６のいずれかに記載のキッチンのカウンター構造。
【発明の詳細な説明】
【技術分野】
【０００１】
本発明は、システムキッチン等のキッチンにおけるカウンター構造に係わり、特に、壁付け式でも対面式でも使用可能なキッチンのカウンター構造に関する。
【背景技術】
【０００２】
一般的に、システムキッチンにおいては、キャビネットの上面にシンク等が設けられたカウンターが配置されており、近年、キッチン側にカウンター（カウンター本体という）を配置しダイニング部側にサブカウンターを配置した対面式のキッチンが使用されるようになってきている。従来、この種の対面式キッチンの場合、カウンター本体とサブカウンターはそれぞれ平板状に形成されて、サブカウンターがカウンター本体を支持するキャビネットの背面部に設けた収納部等の上面に取り付けられることにより、カウンター本体より所定寸法高い位置に配置されている。なお、この種の対面式キッチンに関する文献としては、例えば特許文献１が知られている。
【特許文献１】特開２００３−２６５２４６号公報
【発明の開示】
【発明が解決しようとする課題】
【０００３】
しかしながら、このようなキッチンにおいては、カウンター本体とサブカウンターとが別体で形成され、カウンター本体の後端部に収納部の垂直な前面壁等からなる立ち上げ部を介してサブカウンターの前端部が接続されているため、カウンター本体と立ち上げ部あるいは立ち上げ部とサブカウンターの接続部分における水じまい性（水密性）が劣ると共に、カウンター本体やサブカウンターの製造にそれぞれ別々の成形型が必要になる等、生産性の面でも劣ることになる。また、カウンター本体やサブカウンターとの接続部となる立ち上げ部が垂直面で形成されているため、互いの接続部分が汚れ易く、また汚れ除去等の清掃がやり難い等、キッチンの手入れの面でも劣ることになる。
【０００４】
本発明は、このような事情に鑑みてなされたもので、その目的は、カウンター本体と立ち上げ部及びサブカウンターを一体形成して、接続部分における水密性の向上とカウンターの製造の容易化等を図ると共に、接続部分が汚れ難く、また清掃等の手入れがし易いキッチンのカウンター構造を提供することにある。
【課題を解決するための手段】
【０００５】
かかる目的を達成すべく、本発明のうち請求項１に記載の発明は、シンクを有してキャビネットの上面に水平状態で配置されるカウンター本体と、該カウンター本体の後端部に傾斜状態で一体形成された立ち上げ部と、該立ち上げ部の後端部に後方側に水平状態で一体形成されたサブカウンターと、を備えることを特徴とする。
【０００６】
また、請求項２に記載の発明は、前記シンクが、立ち上げ部とカウンター本体の接続部分に一体形成されると共に、前記立ち上げ部が前記シンク内まで連続して形成されていることを特徴とする。そして、前記立ち上げ部には、請求項３に記載の発明のように、水栓が取り付けられていたり、請求項４に記載の発明のように、カウンター本体側及びまたはサブカウンター側から収納物の出し入れが可能な収納部が設けられていることが好ましい。また、請求項５や請求項６に記載の発明のように、前記立ち上げ部及びまたはサブカウンターに、映像機器や音響機器が取り付けられていることが好ましく、さらに、前記立ち上げ部は、請求項７に記載の発明のように、カウンター本体及びサブカウンターに対して鈍角を有する略平板状に形成されていたり、請求項８に記載の発明のように、その表面が凹状もしくは凸状の曲面形状に形成されていることが好ましい。
【発明の効果】
【０００７】
本発明のうち請求項１に記載の発明によれば、キャビネットの上面に水平状態で配置されるカウンター本体と立ち上げ部及びサブカウンターとが一体形成されているため、立ち上げ部の前後端部における水密性を十分に確保できると共に、例えば一つの注型用の型で成形できて、サブカウンターを有するカウンターの製造を簡単かつ安価に行うことができる。また、立ち上げ部の前後端部に接続部が無くなることから、接続部分が汚れ難くなると共に清掃がし易くなり、キッチンの手入れ性を向上させることができる。さらに、下段のカウンター本体から上段のサブカウンターまで連続した意匠が得られて、キッチンのデザイン性を高めることができる。
【０００８】
また、請求項２に記載の発明によれば、請求項１に記載の発明の効果に加え、カウンター本体に設けられるシンクが、立ち上げ部とカウンター本体の接続部分に一体形成されているため、シンクの外周縁部の水密性を十分に確保できると共に、シンクを有するカウンターの製造を簡単に行うことができる。また、立ち上げ部がシンク内まで連続して形成されているため、水栓等が取り付けられる立ち上げ部の水洗い等を一層容易に行うことができる。
【０００９】
また、請求項３に記載の発明によれば、請求項１または２に記載の発明の効果に加え、立ち上げ部に水栓が取り付けられているため、例えば水栓周りの水洗いが可能となって、キッチンの手入れ等を一層容易に行うことができる。
【００１０】
また、請求項４に記載の発明によれば、請求項１ないし３に記載の発明の効果に加え、立ち上げ部に、カウンター本体側やサブカウンター側から収納物の出し入れが可能な収納部が設けられているため、立ち上げ部の後方側でサブカウンターの下部空間を収納用として有効利用できると共に、キッチン部側やダイニング部側から収納物を出し入れできて、キッチンの使い勝手の向上を図ることができる。
【００１１】
また、請求項５に記載の発明によれば、請求項１ないし４に記載の発明の効果に加え、立ち上げ部やサブカウンターに液晶テレビやパソコンモニター等の映像機器が取り付けられているため、キッチンを使用しながらテレビ放送等を視聴できて、キッチンの使い勝手の一層の向上を図ることができる。
【００１２】
また、請求項６に記載の発明によれば、請求項１ないし５に記載の発明の効果に加え、立ち上げ部やサブカウンターにスピーカやＣＤプレーヤ等の音響機器が取り付けられているため、キッチンを使用しながら音楽を聞くことができて、キッチンの使い勝手のより一層の向上を図ることができる。
【００１３】
さらに、請求項７に記載の発明によれば、請求項１ないし６に記載の発明の効果に加え、立ち上げ部が、カウンター本体及びサブカウンターに対して鈍角を有する略平板状に形成されているため、立ち上げ部の型成形が容易となって、カウンターの製造を一層簡単かつ安価に行うことができる。
【００１４】
また、請求項８に記載の発明によれば、請求項１ないし６に記載の発明の効果に加え、立ち上げ部の表面が凹状もしくは凸状の曲面形状に形成されているため、立ち上げ部に意匠的なアクセントを与えることができて、キッチンのデザイン性を一層高めることができる。
【発明を実施するための最良の形態】
【００１５】
以下、本発明の実施の形態を図面に基づいて詳細に説明する。
図１〜図５は、本発明に係わるカウンター構造の一実施形態を示し、図１が該カウンター構造を採用したキッチンの斜視図、図２がそのカウンター部分の拡大断面図、図３がカウンターの平面図、図４がカウンターの変形例を示す断面図、図５が収納部の変形例を示す断面図である。
【００１６】
図１に示すように、キッチン１は、前面に扉５を有するキッチンキャビネット２と、このキッチンキャビネット２の後方側（背面板側）に一体的に組み付け配置された引き戸キャビネット３と、これら両キャビネット２、３の上面に配置されたカウンター４等を有している。前記引き戸キャビネット３は、左右の側板、上面板、底板、背面板及び引き戸（いずれも図示せず）等によって内部に収納部６を有する如く形成され、ダイニング部Ｄ側から引き戸を開閉することにより、収納部６内に収納物を収納したり取り出しできるように構成されている。
【００１７】
また、前記キッチンキャビネット２は、左右の側板、上面板、底板、背面板（いずれも図示せず）及び複数の前記扉５等によって内部に複数の収納部を有する如く形成され、キッチン部Ｋ側から扉５を開閉することにより、収納部内に収納物を収納したり取り出しできるように構成されている。そして、このキッチンキャビネット２と引き戸キャビネット３は、引き戸キャビネット３の上面がキッチンキャビネット２の上面より所定寸法高い位置に設定されている。また、両キャビネット２、３の左右の側板の外面には化粧側板７がそれぞれ固着され、この化粧側板７で両キャビネット２、３が一体化された状態で、キッチン部Ｋとダイニング部Ｄの境界部分の床面８上に設置されることにより、対面式のキッチン１として使用できるように構成されている。
【００１８】
この両キャビネット２、３の上面に配置される前記カウンター４は、キッチンキャビネット２の上面を覆う平板状のカウンター本体４ａと、引き戸キャビネット３の略上面を覆う平板状のサブカウンター４ｃと、カウンター本体４ａとサブカウンター４ｃとの間に設けられ前面に傾斜面１１を形成する立ち上げ部４ｂとを有し、これらが人造大理石の一体成形によって形成されている。このうちカウンター本体４ａは、左右幅方向の略中間位置にシンク９が設けられると共に、左右幅方向の例えば右端部にはコンロ１０が設けられている。なお、シンク９は、例えば人造大理石によって形成され、その外周縁部がカウンター本体４ａに設けた後述する取付孔１８（図３参照）にシームレス接合等により水密性を有して固着されている。
【００１９】
また、カウンター４の立ち上げ部４ｂは、カウンター本体４ａとサブカウンター４ｃに対する角度α、β（図２参照）が９０度を超える鈍角に設定されることにより、その前面が平坦な傾斜面１１で形成されている。また、この立ち上げ部４ｂのシンク９に対応する位置には、水栓１２が取り付けられると共に、この水栓１２の左右両側には、小物の調理道具を入れる収納部１３、洗剤・スポンジ等を入れる収納部１４、調理料等を入れる収納部１５、及びまな板ラック１６ａや包丁差し１６ｂを有する収納部１６が設けられている。
【００２０】
この時、収納部１３〜１５は、図２に示すように、有底筒状で前面が開口した収納ボックス１７を有し、この収納ボックス１７の開口縁部の鍔部１７ａを立ち上げ部４ｂに設けた取付孔２１の周縁に当接状態で固着することにより、立ち上げ部４ｂの後方側でサブカウンター４ｃの直下に形成される空間２２内に固定的に配置されている。また、前記収納部１６のまな板ラック１６ａは、例えば包丁差し１６ｂと一体化された状態で立ち上げ部４ｂに固定的に配置されて、包丁差し１６ｂに挿入された包丁の歯部が前記空間２２内に位置している。
【００２１】
そして、収納部１３〜１５及び包丁差し１６ｂは、立ち上げ部４ｂの傾斜面１１に取り付けられることにより、収納ボックス１７等の開口が斜め上方に指向しており、カウンター本体４ａ側から各種の収納物の収納ボックス１７内等への出し入れがし易くなると共に、該収納ボックス１７の傾斜した周壁と底壁によって、収納された収納物の前方への飛び出し等が防止されて安定収納されるようになっている。なお、収納部１３〜１５の収納ボックス１７や収納部１６のまな板ラック１６ａや包丁差し１６ｂは、立ち上げ部４ｂに固定状態で配置する形態に限らず、例えば立ち上げ部４ｂの各取付孔２１に取り外し可能に装着して、該収納ボックス１７等を取り外して水洗い可能とし、その清掃性を高めることも勿論可能である。
【００２２】
このように構成されたカウンター４は、前述したように人造大理石用の樹脂を注型用の金型に流し込むこと（注型成形）によって、図３に示すように、カウンター本体４ａと立ち上げ部４ｂ及びサブカウンター４ｃが成形される。この時、カウンター本体４ａとサブカウンター４ｂが所定板厚の平板状に形成され、立ち上げ部４ｂが傾斜面１１を有する所定板厚の平板状に形成されていることから、カウンター４の金型による成形が比較的簡単に行えることになる。
【００２３】
そして、カウンター本体４ａにシンク取付孔１８とコンロ取付孔１９が形成されると共に、立ち上げ部４ｂに水栓取付孔２０や収納部１３〜１６取付用の所定形状の複数の取付孔２１等が形成されて、キッチンキャビネット２と引き戸キャビネット３の上面に載置固定される。その後、このカウンター４の各取付孔１８〜２１にシンク９やコンロ１０、各種収納部１３〜１６が取り付けられることにより、キッチン１が製造されるようになっている。このカウンター４に対する各種取付孔１８〜２１は後加工に限らず、特に大きな取付孔１８、１９等の場合は、成形と同時に形成することも勿論可能である。
【００２４】
ところで、以上の例においては、カウンター４の立ち上げ部４ｂを平坦な傾斜面１１を有する平板状に形成したが、本発明はこれに限定されず、例えば図４に示すように、曲面からなる傾斜面１１としても良い。すなわち、図４（ａ）に示すカウンター４は、立ち上げ部４ｂの前面を断面円弧状に窪んだ形状（凹状）の曲面の傾斜面１１とし、図４（ｂ）に示すカウンター４は、立ち上げ部４ｂの前面を断面円弧状に膨らんだ形状（凸条）の曲面の傾斜面１１としたものである。
【００２５】
また、上記例においては、収納部１３〜１５の例えば収納ボックス１７を、その鍔部１７ａが立ち上げ部４ｂの傾斜面１１に密着する状態で固着することにより斜めの状態で取り付け、カウンター本体４ａ側から収納物の出し入れを可能に構成したが、例えば図５に示すように、収納ボックス１７を立ち上げ部４ｂの傾斜面１１に上下方向に向けて取り付け、矢印イの如くカウンター本体４ａ側から収納物を出し入れしたり、矢印ロの如くサブカウンター４ｃ側から収納物を出し入れ可能に構成することもできる。この場合は、収納ボックス１７への収納物の両側からの出し入れ操作を容易とするため、立ち上げ部４ｂの傾斜面１１の角度α、βは比較的緩やかに（鈍角を大きく）設定することが好ましい。
【００２６】
このように、上記実施形態のキッチン１にあっては、キッチンキャビネット２の上面に水平状態で配置されるカウンター本体４ａと、引き戸キャビネット３の上面に水平状態で配置されるサブカウンター４ｃと、これらを接続（連結）する立ち上げ部４ｂとが人造大理石によって一体形成されているため、立ち上げ部４ｂの前後端部に従来のような接続部が無くなり、該部分における水密性を十分に確保することができると共に、カウンター４を一つの注型用の型で成形できて、サブカウンター４ｃを有するカウンター４の製造を簡単かつ安価に行うことができる。特に、立ち上げ部４ｂが、カウンター本体４ａ及びサブカウンター４ｃに対して鈍角を有する平板状に形成されているため、立ち上げ部４ｂの型成形が容易となって、カウンター４の製造を一層簡単かつ安価に行うことが可能となる。
【００２７】
また、カウンター４の一体成形により立ち上げ部４ｂの前後端部に接続部が無くなるため、接続部分が汚れ難くなると共に清掃をし易くすることができて、キッチン１のカウンター４部分の手入れ性を向上させることができる。特に、立ち上げ部４ｂに水栓１２が取り付けられているため、例えば傾斜面１１を利用しつつ水栓１２周りの水洗いが可能になると共に、収納部１３〜１５等を立ち上げ部４ｂに対して着脱可能に構成することにより、これらの水洗い等も可能となり、キッチン１の手入れを一層容易に行うことができる。
【００２８】
さらに、平板状のカウンター本体４ａとサブカウンター４ｃ及び立ち上げ部４ｂの一体成形により、下段のカウンター本体４ａから上段のサブカウンター４ｃまで連続した状態のカウンター４が得られて、そのデザイン性を高めることができ、対面式のキッチン１に採用することで、従来にないデザインのキッチン１を提供することが可能となる。また、立ち上げ部４ｂの前面を凹状もしくは凸状の傾斜面１１に形成すれば、立ち上げ部４ｂに意匠的なアクセントを付与することができて、キッチン１のデザイン性を一層高めることもできる。
【００２９】
また、カウンター４の立ち上げ部４ｂに、カウンター本体４ａ側から収納物の出し入れが可能な収納部１３〜１６が斜めの状態で設けられているため、立ち上げ部４ｂの後方側でサブカウンター４ｃ直下の空間２２を収納用として有効利用することができる。また同時に、傾斜した立ち上げ部４ｂの前面（傾斜面１１）に収納ボックス１７が斜めの状態で配置されているため、収納物の出し入れをキッチン部Ｋ側から斜め方向に行うことができて、その出し入れ操作が容易に行えると共に、収納物を収納ボックス１７内に安定して収納することができる。この時、収納ボックス１７を上方に向けて配置するように構成すれば、ダイニング部Ｄ側からも収納物を出し入れでき、これらのことから、立ち上げ部４ｂを有効利用しつつキッチン１の使い勝手の向上を図ることが可能となる。
【００３０】
図６〜図１１は、本発明に係わるカウンター構造を採用したキッチンのそれぞれ他の実施形態を示している。以下、上記実施形態と同一部位には、同一符号を付して説明する。先ず、図６〜図８に示す実施形態のキッチン１の特徴は、カウンター４にシンク４ｄを一体成形によって形成すると共に、立ち上げ部４ｂをシンク４ｄまで連続して形成し、さらにキッチン１を壁付け式に構成した点にある。すなわち、図６及び図７に示すように、カウンター４のカウンター本体４ａと立ち上げ部４ｂのシンク取付位置に、人造大理石によってシンク４ｄを一体成形し、この時、シンク４ａの背面壁は立ち上げ部４ｂを下方に延長させた傾斜状態とし、その他の側壁は略垂直状態に設定する。
【００３１】
そして、図８に示すように、シンク４ｄを一体成形したカウンター４のカウンター本体４ａの所定位置にコンロ取付孔１９を形成すると共に、シンク４ｄの底板に排水孔２３を形成し、また立ち上げ部４ｂに各種の取付孔２４を形成する。なお、図６に示すキッチン１の場合、立ち上げ部４ｂのコンロ１０と対応する位置には、コンロ１０上の熱気等をキャビネット２内に吸引して排気する下引き排気口２５が設けられ、その右側方には、ペーパータオルやラップ入れ用の収納部２６が設けられ、かつ、水栓１２の側方には、照明器具２７ａ付きのブックスタンド２７が設けられている。そして、このキッチン１は、サブカウンター４ｃの後端部を壁面２９に当接状態で設置することにより、壁付け式のキッチンとして使用される。なお、この例のキッチン１におけるキャビネットは、前記引き戸キャビネット３を必要とせず、例えばキッチンキャビネット２のみによって形成される。
【００３２】
この実施形態のキッチン１によれば、カウンター４のカウンター本体４ａと立ち上げ部４ｂ及びサブカウンター４ｃが一体形成されているため、上記実施形態と同様の作用効果を得ることができる他に、シンク４ｄもカウンター４に一体成形されているため、シンク４ｄとカウンター本体４ａ等の前記シームレス接合作業が不要になる等、シンク４ｄの外周縁部に十分な水密性を簡単に確保することができると共に、立ち上げ部４ｂがシンク４ｄ内に連続して形成されているため、水栓１２周りの水洗い等をより一層容易に行うことができる。さらに、カウンター４の製造コストの一層の低減化が図れて安価なキッチン１の提供が可能となる。また、このキッチン１の場合は、カウンター４の立ち上げ部４ｂにブックスタンド２７が配置されているため、料理本２８を見ながら料理を行うことができて、キッチン１自体の使い勝手の一層の向上を図ることができる等、壁付け式のキッチン１に好適に採用することができる。
【００３３】
また、図９及び図１０に示す実施形態のキッチン１の特徴は、カウンター４の立ち上げ部４ｂの右側に、映像機器としての液晶テレビ３１を埋設状態で取り付けた点にある。すなわち、立ち上げ部４ｂに取付用の開口３４を形成し、この開口３４内に所定インチの薄型の液晶テレビ３１を立ち上げ部４ｂの前面から該立ち上げ部４ｂに図示しないネジで固定すると共に、この液晶テレビ３１の前面に透明なカバー３５を取り付ける。この時、カバー３５と立ち上げ部４ｂの開口３４部分は、シリコン等のシール材３６でシールされて液晶テレビ３１の防水性が高められている。
【００３４】
この実施形態のチッチン１においても、一体型のカウンター４により上記実施形態と同様の作用効果が得られる他に、キッチン１を使用しながら液晶テレビ３１でテレビ放送を視聴できて、キッチン１の使い勝手の一層の向上を図ることができる。この実施形態の場合、液晶テレビ３１に換えてパソコンモニターを取り付けて、インターネットの画像を視聴できるようにしても良いし、液晶テレビ３１の取付位置も立ち上げ部４ｂに限定されず、サブカウンター４ｃに取り付けても良く、このサブカウンター４ｃに取り付ける場合、液晶テレビ３１は通常サブカウンター４ｃ内に埋設状態とされ、使用時にサブカウンター４ｃ内から引き出すこと等により所定角度傾斜状態となって前方から視認される構成を採用すれば良い。さらに、カバー３５の表面がカウンター４の立ち上げ部４ｂの表面と面一となるようにカバー３５を取り付けることにより、清掃性を向上させる構成とすることも可能である。
【００３５】
また、図１１に示す実施形態のキッチン１の特徴は、カウンター４の立ち上げ部４ｂに、音響機器としてのＣＤプレーヤ３２と一対のスピーカ３３を取り付けた点にある。すなわち、立ち上げ部４ｂの左右端部に一対のスピーカ３３を埋設状態で取り付け、右側のスピーカ３３の例えば下部にＣＤプレーヤ３２を埋設状態で取り付ける。この実施形態のチッチン１においても、一体型のカウンター４により上記実施形態と同様の作用効果が得られる他に、キッチン１を使用しながら音楽を視聴できて、キッチン１の使い勝手のより一層の向上を図ることができる。特にこの実施形態の場合、カウンター４の長手方向の両端部にスピーカ３２がそれぞれ配置されると共に、スピーカ３３を一体型の面積の大きなカウンター４に取り付けでき、かつスピーカ３３後方のキッチンキャビネット２内の空間を音響空間として使用しつつ音楽等をステレオ再生できることから、音響特性的に優れた音楽を聴くことが可能となる。
【００３６】
この実施形態の場合の音響機器としては、ＣＤプレーヤ３２以外にラジオやテレビ用のチューナ、カセットデッキ等でも良いし、例えば図９に示す映像機器と組み合わせて取り付けることにより、ビデオデッキやＤＶＤ機器等の各種機器を使用することができる。また、この実施形態においても、図９に示す実施形態と同様に、各音響機器は防水性が高められた状態で取り付けられると共に、これらの取付位置も立ち上げ部４ｂに限定されず、サブカウンター４ｃに所定形態で取り付けることも可能である。
【００３７】
なお、本発明は、上記した各実施形態のそれぞれに限定されるものではなく、例えばシンクの一体化構造を図１に示す実施形態に適用することもできるし、図１に示す実施形態を壁付け式にしたり、或いは、図６に示す実施形態を対面式に構成することも可能である。また、図４に示す立ち上げ部４ｂの形態を図６、図９及び図１１に示す実施形態に適用したり、図１と図６に示す立ち上げ部４ｂに設けられる各種収納部やブックスタンド等を適宜に選択使用する等、各実施形態の一部を適宜に組み合わせることができる。また、例えば各種収納部等の立ち上げ部４ｂへの取付形態を共通化し、所望の収納部をユーザーの有望に応じて選択使用できるように構成することもできる。
【００３８】
また、上記各実施形態における、キッチンキャビネット２や引き戸キャビネット３等のカウンター４が載置されるキャビネットの構造、各収納部等の形態、カウンター４の寸法（角度）や外形形状、シンクの形状等は一例であって、例えばカウンター本体４ａのキッチンＤ側の前端縁を直線形状ではなく膨らんだ曲線形状にしたり、立ち上げ部４ｂの傾斜面１１を平面と曲面の組み合わせで形成する等、本発明に係わる各発明の要旨を逸脱しない範囲において適宜に変更することができる。
【産業上の利用可能性】
【００３９】
本発明は、カウンターにシンクが設けられたキッチンに限らず、カウンターにコンロや食器洗い乾燥機、ホットプレート等の各種の機能部材等が設けられたキッチンにも適用できる。
【図面の簡単な説明】
【００４０】
【図１】本発明に係わるカウンター構造を採用したキッチンの斜視図
【図２】同そのカウンター部分の断面図
【図３】同カウンターの平面図
【図４】同カウンターの変形例を示す断面図
【図５】同収納部の変形例を示す断面図
【図６】本発明に係わるカウンター構造を採用した他のキッチンの斜視図
【図７】同そのカウンターの断面図
【図８】同その平面図
【図９】本発明に係わるカウンター構造を採用したさらに他のキッチンの斜視図
【図１０】同そのカウンターの断面図
【図１１】本発明に係わるカウンター構造を採用したさらに他のキッチンの斜視図
【符号の説明】
【００４１】
１・・・キッチン、２・・・キッチンキャビネット、３・・・引き戸キャビネット、４・・・カウンター、４ａ・・・カウンター本体、４ｂ・・・立ち上げ部、４ｃ・・・サブカウンター、４ｄ・・・シンク、５・・・扉、７・・・化粧側板、９・・・シンク、１０・・・コンロ、１１・・・傾斜面、１３〜１６・・・収納部、１７・・・収納ボックス、２２・・・空間、２５・・・下引き排気口、２６・・・収納部、２７・・・ブックスタンド、２９・・・壁面、３１・・・液晶テレビ、３２・・・スピーカ、３３・・・ＣＤプレーヤ、３４・・・開口、３５・・・カバー、Ｄ・・・ダイニング部、Ｋ・・・キッチン部。
【図１】
2007014750.tif 000003
【図２】
2007014750.tif 000004
【図３】
2007014750.tif 000005
【図４】
2007014750.tif 000006
【図５】
2007014750.tif 000007
【図６】
2007014750.tif 000008
【図７】
2007014750.tif 000009
【図８】
2007014750.tif 000010
【図９】
2007014750.tif 000011
【図１０】
2007014750.tif 000012
【図１１】
2007014750.tif 000013